(57)【特許請求の範囲】
【請求項１】
検索広告の購入履歴のあるキーワードを検索して購入キーワード集合を生成する購入キーワードモジュールと、
少なくとも１つのソースからキーワードを抽出し、その他のキーワード集合を生成するその他のキーワードモジュールと、
一定の期間に一定量以上のクエリが発生したキーワードを検索して統合検索キーワード集合を生成する統合検索キーワードモジュールと、
前記購入キーワード集合、前記その他のキーワード集合、前記統合検索キーワード集合が相互に連携し生成された拡張キーワードプールを用いて検索語に対する関連または拡張キーワードを提供する検索モジュールとを備え、
前記検索モジュールは、
前記拡張キーワードプールに格納されたキーワードの新規キーワード点数または関連点数に基づいて前記関連または拡張キーワードを検索して表示し、
前記統合検索キーワード集合から前記購入キーワード集合および前記その他のキーワード集合に含まれたキーワードを除外したキーワードを新規性の高いキーワードとして判断して検索結果に反映し、
前記購入キーワード集合および前記その他のキーワード集合に共通して含まれたキーワードが互いに関連度の高いと判断して検索結果に反映することを特徴とする、拡張キーワードプールを用いる検索システム。
【請求項２】
前記購入キーワードモジュールは、一定の期間の間に前記検索広告の購入履歴が一定量以上に増加したキーワードを、前記購入キーワード集合に追加して更新することを特徴とする、請求項１に記載の拡張キーワードプールを用いる検索システム。
【請求項３】
前記購入キーワードモジュールは、前記購入キーワード集合に含まれたキーワードのうち一定の期間の間に前記検索広告の購入履歴が増加しないキーワードを前記購入キーワード集合から除去して更新することを特徴とする、請求項１に記載の拡張キーワードプールを用いる検索システム。
【請求項４】
前記その他のキーワードモジュールは、一定の期間ごとに少なくとも１つのソースからキーワードを抽出して、前記その他のキーワード集合を更新することを特徴とする、請求項１に記載の拡張キーワードプールを用いる検索システム。
【請求項５】
前記ソースは、ニュース、ブログ、知識ｉＮ、ショッピング、サイトクローリング、ショッピングモールのクエリ情報、およびイシュー性のあるキーワードのうち少なくとも１つを含むことを特徴とする、請求項１に記載の拡張キーワードプールを用いる検索システム。
【請求項６】
前記統合検索キーワードモジュールは、一定の期間ごとに前記購入キーワードおよび前記その他のキーワードを含むクエリのうち、キーワード別の照会数が一定以上に発生するキーワードに基づいて前記統合検索キーワード集合を更新することを特徴とする、請求項１に記載の拡張キーワードプールを用いる検索システム。
【請求項７】
前記統合検索キーワードモジュールは、一定の期間の間に一定量以上のクエリが発生したキーワードを、前記統合検索キーワード集合に追加して更新することを特徴とする、請求項６に記載の拡張キーワードプールを用いる検索システム。
【請求項８】
前記統合検索キーワードモジュールは、前記統合検索キーワード集合に含まれたキーワードのうち一定の期間の間に一定量以下のクエリが発生したキーワードを前記統合検索キーワード集合から除去して更新することを特徴とする、請求項６に記載の拡張キーワードプールを用いる検索システム。
【請求項９】
前記統合検索キーワードモジュールは、前記購入キーワード集合および前記その他のキーワード集合に含まれたキーワードのうち、前記統合検索キーワード集合に含まれないキーワードを前記統合検索キーワード集合に追加して更新することを特徴とする、請求項６に記載の拡張キーワードプールを用いる検索システム。
【請求項１０】
前記検索モジュールは、前記購入キーワード集合および前記その他のキーワード集合に含まれたキーワードのうち、前記統合検索キーワード集合に含まれないキーワードは新規性の低いキーワードとして判断して検索結果に反映することを特徴とする、請求項１に記載の拡張キーワードプールを用いる検索システム。
【請求項１１】
前記検索モジュールは、前記購入キーワード集合および前記その他のキーワード集合から前記購入キーワード集合と前記その他のキーワード集合に共通して含まれたキーワードを除いたキーワードは互いに関連度が低いものの、一定以上の検索量が発生する推薦キーワードとして判断して検索結果に反映することを特徴とする、請求項１に記載の拡張キーワードプールを用いる検索システム。
【請求項１２】
前記キーワードの属性および関連性を指標化して少なくとも１つの指標を生成する指標モジュールと、
前記キーワードが用いられる用途に対応して前記指標のうち少なくとも１つの指標を加重値指標として選択する指標選択モジュールと、
前記加重値指標に加重値を適用して指標値を変更する加重値補正モジュールと、
前記キーワードの前記加重値指標および前記指標に基づいて前記キーワードを評価するシミュレーションモジュールと、をさらに備え、
前記検索モジュールは、前記キーワードの評価に基づいて用途に適するキーワードを提供することを特徴とする、請求項１に記載の拡張キーワードプールを用いる検索システム。
【請求項１３】
前記指標選択モジュールは、前記キーワードが用いられる用途に対応する重要ポイントを確認し、前記重要ポイントに基づいて前記キーワードが用いられる用途で必要な条件の方向性を設定し、前記方向性に基づいて前記指標のうち少なくとも１つの指標を選択することを特徴とする、請求項１２に記載の拡張キーワードプールを用いる検索システム。
【請求項１４】
前記シミュレーションモジュールは、前記加重値指標および前記指標に基づいて順位ロジック評価指標を生成し、前記順位ロジック評価指標に含まれる指標を分類し、分類された指標の値に対応してキーワードの優先順位および比率を補正することを特徴とする、請求項１２に記載の拡張キーワードプールを用いる検索システム。
【請求項１５】
前記順位ロジック評価指標は、広告の競争度を表す競争度指標、ユーザの訪問量を表すサービス指標、露出対比クリック率を表す転換指標、関連度を表す関連指標、および進入障壁の難易度を表す進入指標のうち少なくとも１つを含むことを特徴とする、請求項１４に記載の拡張キーワードプールを用いる検索システム。
【請求項１６】
前記シミュレーションモジュールは、前記進入指標および前記競争度指標の値が低く、前記サービス指標、前記転換指標、および前記関連指標の値が高ければ、散布度を高めるために必要なキーワードとして判断して優先順位を最上位に補正することを特徴とする、請求項１５に記載の拡張キーワードプールを用いる検索システム。
【請求項１７】
前記シミュレーションモジュールは、前記進入指標および前記競争度指標の値が高く、前記サービス指標、前記転換指標、および前記関連指標の値が低ければ、広報に必要なキーワードとして判断して優先順位を中間に補正することを特徴とする、請求項１５に記載の拡張キーワードプールを用いる検索システム。
【請求項１８】
前記シミュレーションモジュールは、前記サービス指標、前記転換指標、および前記関連指標の値が高いキーワードのうち代表キーワードを選択することを特徴とする、請求項１５に記載の拡張キーワードプールを用いる検索システム。
【請求項１９】
前記キーワードは、業種が分類された売上げ上位キーワードの集合に他のソースから抽出したキーワードをさらに含むキーワードプールに含まれたキーワードであることを特徴とする、請求項１２に記載の拡張キーワードプールを用いる検索システム。
【請求項２０】
前記他のソースは、キーワード別の照会数が一定以上に発生するキーワードと、ニュース、ブログ、知識ｉＮ、ショッピング、サイトクローリング、ショッピングモールのクエリ情報、およびイシュー性のあるキーワードのうち少なくとも１つを含むことを特徴とする、請求項１９に記載の拡張キーワードプールを用いる検索システム。
【請求項２１】
前記指標モジュールは、前記キーワードの自体属性を指標化して独立指標を生成し、前記キーワードと他のキーワードと間の関連性を指標化して関連指標を生成することを特徴とする、請求項１２に記載の拡張キーワードプールを用いる検索システム。
【請求項２２】
前記関連指標に基づいて前記キーワードと他のキーワードとの間の関連度を関連点数に数値化する関連点数算定モジュールと、
前記関連点数および前記独立指標に基づいて使用用途による順位点数を算出する順位点数算出モジュールと、をさらに含み、
前記検索モジュールは、前記順位点数に基づいて検索語に対する関連キーワードを提供することを特徴とする、請求項２１に記載の拡張キーワードプールを用いる検索システム。
【請求項２３】
前記関連指標は、購入関連指標、広告内関連指標、サービスデータ関連指標、露出関連指標、素材文脈関連指標、知識ショッピング関連指標、および各関連指標の重複指標のうち少なくとも１つを含むことを特徴とする、請求項２２に記載の拡張キーワードプールを用いる検索システム。
【請求項２４】
前記独立指標は、共通指標、ＣＰＣ指標、およびＣＰＭ指標のうち少なくとも１つを含むことを特徴とする、請求項２２に記載の拡張キーワードプールを用いる検索システム。
【請求項２５】
前記関連点数算定モジュールは、関連指標に個別加重値を適用して単一キーワード関連点数を算定することを特徴とする、請求項２２に記載の拡張キーワードプールを用いる検索システム。
【請求項２６】
前記関連点数算定モジュールは、前記単一キーワードの関連点数に基づいて複数キーワード関連点数を算定することを特徴とする、請求項２５に記載の拡張キーワードプールを用いる検索システム。
【請求項２７】
前記複数キーワード関連点数は、前記キーワードと他のキーワードの集合間の関連度を数値化した点数であることを特徴とする、請求項２６に記載の拡張キーワードプールを用いる検索システム。
【請求項２８】
前記関連点数算定モジュールは、前記キーワードと前記他のキーワードの集合間の単一キーワードの関連点数の総合を前記他のキーワードの集合に含まれたキーワードの量に分けた値を複数キーワード関連点数に算定することを特徴とする、請求項２７に記載の拡張キーワードプールを用いる検索システム。
【請求項２９】
前記関連点数算定モジュールは、一定量以上のキーワードと関連するキーワードは関連点数を低く算定することを特徴とする、請求項２２に記載の拡張キーワードプールを用いる検索システム。
【請求項３０】
前記関連点数算定モジュールは、前記キーワードと関連するキーワードのうち前記キーワードと関連しない他のキーワードと関連するキーワードは関連点数を低く算定することを特徴とする、請求項２２に記載の拡張キーワードプールを用いる検索システム。
【請求項３１】
前記順位点数算出モジュールは、前記独立指標から検索語の使用用途に適する指標の組合せを選択し、選択した独立指標および前記関連点数を用いて前記順位点数を算出することを特徴とする、請求項２２に記載の拡張キーワードプールを用いる検索システム。
【請求項３２】
前記順位点数算出モジュールは、前記独立指標に個別加重値を適用した値の和に前記関連点数に使用用途に対応する加重値を適用した値を加えて前記順位点数を算出することを特徴とする、請求項２２に記載の拡張キーワードプールを用いる検索システム。
【請求項３３】
コンピュータが実行する検索方法であって、
前記コンピュータが検索広告の購入履歴のあるキーワードを検索して購入キーワード集合を生成するステップと、
前記コンピュータが少なくとも１つのソースからキーワードを抽出し、その他のキーワード集合を生成するステップと、
前記コンピュータが一定の期間に一定量以上のクエリが発生したキーワードを検索して統合検索キーワード集合を生成するステップと、
前記コンピュータが前記購入キーワード集合、前記その他のキーワード集合、前記統合検索キーワード集合が相互に連携し生成された拡張キーワードプールを用いて検索語に対する関連または拡張キーワードを提供するステップとを含み、
前記関連または拡張キーワードを提供するステップでは、
前記拡張キーワードプールに格納されたキーワードの新規キーワード点数または関連点数に基づいて前記関連または拡張キーワードを検索して表示し、
前記統合検索キーワード集合から前記購入キーワード集合および前記その他のキーワード集合に含まれたキーワードを除いたキーワードを新規性が高いキーワードとして判断して検索結果に反映し、
前記購入キーワード集合および前記その他のキーワード集合に共通して含まれたキーワードが互いに関連度が高いと判断して検索結果に反映することを含むことを特徴とする、拡張キーワードプールを用いる検索方法。
【請求項３４】
前記購入キーワード集合を生成するステップは、一定の期間の間に前記検索広告の購入履歴が一定量以上に増加したキーワードを前記購入キーワード集合に追加して更新することを特徴とする、請求項３３に記載の拡張キーワードプールを用いる検索方法。
【請求項３５】
前記購入キーワード集合を生成するステップは、前記購入キーワード集合に含まれたキーワードのうち、一定の期間の間に前記検索広告の購入履歴が増加しないキーワードを前記購入キーワード集合から除去して更新することを特徴とする、請求項３３に記載の拡張キーワードプールを用いる検索方法。
【請求項３６】
前記その他のキーワード集合を生成するステップは、一定の期間ごとに少なくとも１つのソースからキーワードを抽出して前記その他のキーワード集合を更新することを特徴とする、請求項３３に記載の拡張キーワードプールを用いる検索方法。
【請求項３７】
前記ソースは、ニュース、ブログ、知識ｉＮ、ショッピング、サイトクローリング、ショッピングモールのクエリ情報、およびイシュー性のあるキーワードのうち少なくとも１つを含むことを特徴とする、請求項３３に記載の拡張キーワードプールを用いる検索方法。
【請求項３８】
前記統合検索キーワード集合を生成するステップは、一定の期間ごとに前記購入キーワードおよび前記その他のキーワードを含むクエリのうち、キーワード別照会数が一定以上に発生するキーワードに基づいて前記統合検索キーワード集合を更新することを特徴とする、請求項３３に記載の拡張キーワードプールを用いる検索方法。
【請求項３９】
前記統合検索キーワード集合を生成するステップは、一定の期間の間に一定量以上のクエリが発生したキーワードを、前記統合検索キーワード集合に追加して更新することを特徴とする、請求項３８に記載の拡張キーワードプールを用いる検索方法。
【請求項４０】
前記統合検索キーワード集合を生成するステップは、前記統合検索キーワード集合に含まれたキーワードのうち一定の期間の間に一定量以下のクエリが発生したキーワードを、前記統合検索キーワード集合から除去して更新することを特徴とする、請求項３８に記載の拡張キーワードプールを用いる検索方法。
【請求項４１】
前記統合検索キーワード集合を生成するステップは、前記購入キーワード集合および前記その他のキーワード集合に含まれたキーワードのうち、前記統合検索キーワード集合に含まれないキーワードを前記統合検索キーワード集合に追加して更新することを特徴とする、請求項３８に記載の拡張キーワードプールを用いる検索方法。
【請求項４２】
前記キーワードを提供するステップは、前記購入キーワード集合および前記その他のキーワード集合に含まれたキーワードのうち、前記統合検索キーワード集合に含まれないキーワードは新規性が低いキーワードとして判断して検索結果に反映することを特徴とする、請求項３３に記載の拡張キーワードプールを用いる検索方法。
【請求項４３】
前記キーワードを提供するステップは、前記購入キーワード集合および前記その他のキーワード集合から前記購入キーワード集合および前記その他のキーワード集合に共通して含まれたキーワードを除いたキーワードは互いに関連度が低いものの、一定以上の検索量が発生する推薦キーワードとして判断して検索結果に反映することを特徴とする、請求項３３に記載の拡張キーワードプールを用いる検索方法。
【請求項４４】
キーワードの属性および関連性を指標化して少なくとも１つの指標を生成するステップと、
前記キーワードが用いられる用途に対応して前記指標のうち少なくとも１つの指標を加重値指標から選択するステップと、
前記加重値指標に加重値を適用して指標値を変更するステップと、
前記キーワードの前記加重値指標および前記指標に基づいて前記キーワードを評価するステップと、をさらに含み、
前記検索語に対する関連または拡張キーワードを提供するステップは、前記キーワードの評価に基づいて用途に適するキーワードを提供することを特徴とする、請求項３３に記載の拡張キーワードプールを用いる検索方法。
【請求項４５】
前記指標を生成するステップは、
前記キーワードが用いられる用途に対応する重要ポイントを確認するステップと、
前記重要ポイントに基づいて前記キーワードが用いられる用途で必要な条件の方向性を設定するステップと、
前記方向性に基づいて前記指標のうち少なくとも１つの指標を選択するステップと、
を含むことを特徴とする、請求項４４に記載の拡張キーワードプールを用いる検索方法。
【請求項４６】
前記キーワードを評価するステップは、
前記加重値指標および前記指標に基づいて順位ロジック評価指標を生成するステップと、
前記順位ロジック評価指標に含まれる指標を分類するステップと、
分類された指標の値に対応してキーワードの優先順位および比率を補正するステップと、
を含むことを特徴とする、請求項４４に記載の拡張キーワードプールを用いる検索方法。
【請求項４７】
前記順位ロジック評価指標は、広告の競争度を表す競争度指標、ユーザの訪問量を表すサービス指標、露出対比クリック率を表す転換指標、関連度を表す関連指標、および進入障壁の難易度を表す進入指標のうち少なくとも１つを含むことを特徴とする、請求項４６に記載の拡張キーワードプールを用いる検索方法。
【請求項４８】
前記キーワードを評価するステップは、前記進入指標および前記競争度指標の値が低く、前記サービス指標、前記転換指標、および前記関連指標の値が高ければ、散布度を高めるために必要なキーワードとして判断して優先順位を最上位に補正することを特徴とする、請求項４７に記載の拡張キーワードプールを用いる検索方法。
【請求項４９】
前記キーワードを評価するステップは、前記進入指標および前記競争度指標の値が高く、前記サービス指標、前記転換指標、および前記関連指標の値が低ければ、広報に必要なキーワードとして判断して優先順位を中間に補正することを特徴とする、請求項４７に記載の拡張キーワードプールを用いる検索方法。
【請求項５０】
前記キーワードを評価するステップは、前記サービス指標、前記転換指標、および前記関連指標の値が高いキーワードのうち代表キーワードを選択することを特徴とする、請求項４７に記載の拡張キーワードプールを用いる検索方法。
【請求項５１】
前記キーワードは、業種が分類された売上げ上位キーワードの集合に他のソースから抽出したキーワードをさらに含むキーワードプールに含まれたキーワードであることを特徴とする、請求項４４に記載の拡張キーワードプールを用いる検索方法。
【請求項５２】
前記他のソースは、キーワード別の照会数が一定以上に発生するキーワードと、ニュース、ブログ、知識ｉＮ、ショッピング、サイトクローリング、ショッピングモールのクエリ情報、およびイシュー性のあるキーワードのうち少なくとも１つを含むことを特徴とする、請求項５１に記載の拡張キーワードプールを用いる検索方法。
【請求項５３】
前記指標を生成するステップは、
キーワードの自体属性を指標化して独立指標を生成するステップと、
前記キーワードと他のキーワードとの間の関連性を指標化して関連指標を生成するステップと、
を含むことを特徴とする、請求項４４に記載の拡張キーワードプールを用いる検索方法。
【請求項５４】
前記関連指標に基づいて前記キーワードと他のキーワードとの間の関連度を関連点数に数値化するステップと、
前記関連点数および前記独立指標に基づいて使用用途による順位点数を算出するステップと、をさらに含み、
前記検索語に対する関連または拡張キーワードを提供するステップは、前記順位点数に基づいて検索語に対する関連キーワードを提供することを特徴とする、請求項５３に記載の拡張キーワードプールを用いる検索方法。
【請求項５５】
前記関連指標は、購入関連指標、広告内関連指標、サービスデータ関連指標、露出関連指標、素材文脈関連指標、知識ショッピング関連指標、および各関連指標の重複指標のうち少なくとも１つを含むことを特徴とする、請求項５４に記載の拡張キーワードプールを用いる検索方法。
【請求項５６】
前記独立指標は、共通指標、ＣＰＣ指標、およびＣＰＭ指標のうち少なくとも１つを含むことを特徴とする、請求項５４に記載の拡張キーワードプールを用いる検索方法。
【請求項５７】
前記関連点数に数値化するステップは、関連指標に個別加重値を適用して単一キーワードの関連点数を算定することを特徴とする、請求項５４に記載の拡張キーワードプールを用いる検索方法。
【請求項５８】
前記関連点数に数値化するステップは、前記単一キーワードの関連点数に基づいて複数キーワード関連点数を算定することを特徴とする、請求項５７に記載の拡張キーワードプールを用いる検索方法。
【請求項５９】
前記複数キーワード関連点数は、前記キーワードと他のキーワードの集合間の関連度を数値化した点数であることを特徴とする、請求項５８に記載の拡張キーワードプールを用いる検索方法。
【請求項６０】
前記関連点数に数値化するステップは、前記キーワードと前記他のキーワードの集合間の単一キーワードの関連点数の総合を前記他のキーワードの集合に含まれたキーワードの量に分けた値を複数キーワード関連点数に算定することを特徴とする、請求項５９に記載の拡張キーワードプールを用いる検索方法。
【請求項６１】
前記関連点数に数値化するステップは、一定量以上のキーワードと関連するキーワードは関連点数を低く算定することを特徴とする、請求項５４に記載の拡張キーワードプールを用いる検索方法。
【請求項６２】
前記関連点数に数値化するステップは、前記キーワードと関連するキーワードのうち前記キーワードと関連しない他のキーワードと関連するキーワードは関連点数を低く算定することを特徴とする、請求項５４に記載の拡張キーワードプールを用いる検索方法。
【請求項６３】
前記順位点数を算出するステップは、
前記独立指標で検索語の使用用途に適する指標の組合せを選択するステップと、
前記選択した独立指標および前記関連点数を使用して前記順位点数を算出するステップと、
を含むことを特徴とする、請求項５４に記載の拡張キーワードプールを用いる検索方法。
【請求項６４】
前記順位点数を算出するステップは、前記独立指標に個別加重値を適用した値の和に前記関連点数に使用用途に対応する加重値を適用した値を加えて前記順位点数を算出することを特徴とする、請求項５４に記載の拡張キーワードプールを用いる検索方法。
【請求項６５】
請求項３３〜請求項６４いずれか１項の方法を実行するためのプログラムが記録されていることを特徴とするコンピュータで読み出し可能な記録媒体。
【発明の詳細な説明】
【技術分野】
【０００１】
本発明は、拡張キーワードプールを用いる検索方法および前記方法を行うシステムに関する。
【背景技術】
【０００２】
ネットワーク上における検索方法としては、検索されるキーワードの集合であるキーワードプールを形成し、検索語が入力されると、前記キーワードプールから前記検索語に対応するキーワードを検索して表示する方法が用いられている。
【０００３】
従来における検索方法において、キーワードプールに用いるキーワード集合は、検索広告の購入履歴のあるキーワード集合からなり、多様なキーワードが検索できないという限界がある。
【０００４】
しかし、単にキーワードプールを増加すると、より多いキーワードが検索されつつも、検索を所望するキーワードを検索ウィンドウが検索する確率が落ちてしまう問題がある。
【０００５】
したがって、検索広告の購入履歴のあるキーワード集合の他に多様なキーワード集合を用いたキーワードプールを使用しつつ、増加したキーワードプールから選択することによって、検索者が希望するキーワードに関連したり近接したりしたキーワードを提供することのできる方法またはシステムが求められている。
【発明の概要】
【発明が解決しようとする課題】
【０００６】
本発明の目的は、拡張キーワードプールを用いる検索システムであり、検索広告の購入履歴のあるキーワード集合以外にその他のキーワードおよびキーワード別の照会数が一定以上に発生するキーワードの集合をさらに含んでキーワードプールを生成することによって、より広い範囲でキーワードを提供することのできる拡張キーワードプールを用いる検索システムを提供することにある。
【０００７】
本発明の目的は、キーワードが共通して含まれるキーワード集合の数や種類に応じてキーワードの関連点数や新規性点数を変化させることによって、増加したキーワードのうち関連度または新規性の高いキーワードを提供することのできる拡張キーワードプールを用いる検索システムを提供することにある。
【課題を解決するための手段】
【０００８】
本発明の一実施形態に係る拡張キーワードプールを用いる検索システムは、検索広告の購入履歴のあるキーワードを検索して購入キーワード集合を生成する購入キーワードモジュールと、少なくとも１つのソースからキーワードを抽出し、その他のキーワード集合を生成するその他のキーワードモジュールと、前記購入キーワードおよび前記その他のキーワードを含むクエリのうち、キーワード別の照会数が一定以上に発生するキーワードを検索して統合検索キーワード集合を生成する統合検索キーワードモジュールと、前記購入キーワード集合、前記その他のキーワード集合、前記統合検索キーワード集合に含まれたキーワードをキーワードプールとして用いて検索語に対する関連または拡張キーワードを提供する検索モジュールとを備える。
【０００９】
本発明の一側面によれば、前記購入キーワードモジュールは、一定の期間の間に前記検索広告の購入履歴が一定量以上に増加したキーワードを前記購入キーワード集合に追加してもよい。
【００１０】
本発明の一側面によれば、前記購入キーワードモジュールは、販売禁止キーワードとして指定されたキーワードを前記購入キーワード集合から除去してもよい。
【００１１】
本発明の一側面によれば、前記その他のキーワードモジュールがキーワードを抽出する前記ソースは、ニュース、ブログ、知識ｉＮ、ショッピング、サイトクローリング、ショッピングモールのクエリ情報、およびイシュー性のあるキーワードのうち少なくとも１つを含んでもよい。
【００１２】
本発明の一側面によれば、前記統合検索キーワードモジュールは、一定の期間の間に一定の量以上のクエリが発生したキーワードを前記統合検索キーワード集合に追加してもよい。
【００１３】
本発明の一側面によれば、前記統合検索キーワードモジュールは、前記購入キーワード集合および前記その他のキーワード集合に含まれたキーワードのうち、前記統合検索キーワード集合に含まれないキーワードを前記統合検索キーワード集合に追加してもよい。
【００１４】
本発明の一側面によれば、前記検索モジュールは、前記統合検索キーワード集合から前記購入キーワード集合および前記その他のキーワード集合に含まれたキーワードを除外したキーワードを新規性の高いキーワードとして判断して検索結果に反映してもよい。
【００１５】
本発明の一側面によれば、前記検索モジュールは、前記購入キーワード集合および前記その他のキーワード集合に含まれたキーワードのうち、前記統合検索キーワード集合に含まれないキーワードは新規性の低いキーワードとして判断して検索結果に反映してもよい。
【００１６】
本発明の一側面によれば、前記検索モジュールは、前記購入キーワード集合および前記その他のキーワード集合に共通して含まれたキーワードが互いに関連度の高いと判断して検索結果に反映してもよい。
【００１７】
本発明の一側面によれば、前記検索モジュールは、前記購入キーワード集合および前記その他のキーワード集合から前記購入キーワード集合と前記その他のキーワード集合に共通して含まれたキーワードを除いたキーワードは互いに関連度が低いものの、一定以上の検索量が発生する推薦キーワードとして判断して検索結果に反映してもよい。
【００１８】
本発明の一実施形態に係る拡張キーワードプールを用いる検索方法は、検索広告の購入履歴のあるキーワードを検索して購入キーワード集合を生成するステップと、少なくとも１つのソースからキーワードを抽出し、その他のキーワード集合を生成するステップと、前記購入キーワードおよび前記その他のキーワードを含むクエリのうち、キーワード別の照会数が一定以上に発生するキーワードを検索して統合検索キーワード集合を生成するステップと、前記購入キーワード集合、前記その他のキーワード集合、前記統合検索キーワード集合に含まれたキーワードをキーワードプールとして用いて検索語に対する関連または拡張キーワードを提供するステップとを含む。
【発明の効果】
【００１９】
本発明によれば、拡張キーワードプールを用いる検索システムが、検索広告の購入履歴のあるキーワード集合以外にその他のキーワードとキーワード別の照会数が一定以上に発生するキーワードの集合をさらに含んでキーワードプールを生成することによって、より広い範囲でキーワードを提供することができる。
【００２０】
本発明によれば、キーワードが共通して含まれるキーワード集合の数や種類に応じてキーワードの関連点数や新規性点数を変化することによって、増加したキーワードのうち関連度または新規性の高いキーワードを提供することができる。
【図面の簡単な説明】
【００２１】
【図１】本発明の一実施形態に係る、拡張キーワードプールを用いる検索システムの構成図である。
【図２】本発明の一実施形態において、拡張キーワードプールを用いる検索方法を示すフローチャートである。
【図３】本発明の一実施形態に係る拡張キーワードプールの一例である。
【図４】本発明の一実施形態において拡張キーワードプールの管理方法を示すフローチャートである。
【図５】本発明の他の実施形態に係る、使用用途に基づいた検索システムの構成図である。
【図６】本発明の他の実施形態に係る、使用用途に基づいた検索方法を示すフローチャートである。
【図７】本発明の他の実施形態によってキーワードの方向性を設定する過程の一例である。
【図８】本発明の他の実施形態によって使用する用途別に指標を選択する過程の一例である。
【図９】本発明の他の実施形態によってキーワードの用途を評価する過程の一例である。
【図１０】本発明の他の実施形態に係る指標モジュールが指標化するキーワードの業種を分類する方法を示すフローチャートである。
【図１１】本発明の他の実施形態に係るキーワードの関連順位を用いた検索システムの構成図である。
【図１２】本発明の他の実施形態においてキーワードの関連順位を用いた検索方法を示すフローチャートである。
【図１３】本発明の他の実施形態に係る関連指標の一例である。
【図１４】本発明の他の実施形態に係る複数キーワード関連点数が算定されるキーワードの一例である。
【図１５】本発明の他の実施形態に係る独立指標の一例である。
【発明を実施するための形態】
【００２２】
以下、添付する図面を参照しながら本発明に係る多様な実施形態を詳細に説明する。
【００２３】
図１は、本発明の一実施形態に係る、拡張キーワードプールを用いる検索システムの構成図である。
【００２４】
図１を参照すれば、拡張キーワードプールを用いる検索システム１００は、購入キーワードモジュール１０１で、検索広告の購入履歴のあるキーワードを検索して生成した購入キーワード集合と、その他のキーワードモジュール１０２で少なくとも１つのソースからキーワードとを抽出して、生成したその他のキーワード集合、および、統合検索キーワードモジュール１０３で、前記購入キーワードと前記その他のキーワードとを含むクエリのうちキーワード別の照会数が一定以上に発生するキーワードを検索して、生成した統合検索キーワード集合、に含まれたキーワードを検索モジュール１０４がキーワードプールとして用いて、検索語に対する関連または拡張キーワードを提供する。
【００２５】
購入キーワードモジュール１０１は、検索広告の購入履歴があるキーワードに基づいて、前記購入キーワード集合を一定の期間ごとに更新してもよい。
【００２６】
ここで、購入キーワードモジュール１０１は、前記一定の期間の間に前記検索広告の購入履歴が一定量以上に増加したキーワードを前記購入キーワード集合に追加して更新してもよく、前記購入キーワード集合に含まれたキーワードのうち前記一定の期間の間に前記検索広告の購入履歴が増加しないキーワードを前記購入キーワード集合から除去して更新してもよい。
【００２７】
購入キーワードモジュール１０１は、特定のキーワードを販売禁止キーワードとして設定してもよく、販売禁止キーワードに指定されたキーワードは、前記購入キーワード集合に含まれる前記キーワードを更新する場合に前記購入キーワード集合から除去してもよい。ここで、除去された販売禁止キーワードは、前記検索広告の購入履歴の増減有無を検索しないものの、販売禁止キーワードの設定が解除されると、前記検索広告の購入履歴の増加量を検索して、検索結果に応じて再び前記購入キーワード集合に追加して更新してもよい。
【００２８】
その他のキーワードモジュール１０２は、一定の期間ごとにニュースページ、ブログ、知識ｉＮページ、ショッピング、サイトクローリング（ｃｒａｗｌｉｎｇ）、ショッピングモールのクエリ情報、およびイシュー性のあるキーワードのうち少なくとも１つを含むソースからキーワードを抽出して前記その他のキーワード集合を更新してもよい。
【００２９】
統合検索キーワードモジュール１０３は、前記購入キーワードおよび前記その他のキーワードを含むクエリのうち、キーワード別の照会数が一定以上に発生するキーワードに基づいて、前記統合検索キーワード集合を一定の期間ごとに更新してもよい。
【００３０】
ここで、統合検索キーワードモジュール１０３は、一定の期間の間に一定量以上のクエリが発生したキーワードを、前記統合検索キーワード集合に、追加して更新してもよく、前記統合検索キーワード集合に含まれたキーワードのうち一定の期間の間に一定量以下のクエリが発生したキーワードを、前記統合検索キーワード集合から、除去して更新してもよい。
【００３１】
また、統合検索キーワードモジュール１０３は、前記購入キーワード集合および前記その他のキーワード集合に含まれたキーワードのうち、前記統合検索キーワード集合に含まれないキーワードを前記統合検索キーワード集合に追加して更新してもよい。
【００３２】
検索モジュール１０４は、前記統合検索キーワード集合から前記購入キーワード集合および前記その他のキーワード集合に含まれたキーワードを除いたキーワードの新規キーワード点数を増加させてもよい。
【００３３】
また、検索モジュール１０４は、前記購入キーワード集合および前記その他のキーワード集合に含まれたキーワードのうち、前記統合検索キーワード集合に含まれないキーワードの新規キーワード点数を減少させてもよい。
【００３４】
ここで、検索モジュール１０４は、前記新規キーワード点数が高ければ、該当のキーワードを選択する場合に一定以上の検索量が発生しつつ、ビズキーワード(Biz Keyword)になり得るものと判断してもよく、前記新規キーワード点数が低ければ、該当のキーワードが検索される場合にビズキーワードになり得るものと判断してもよい。
【００３５】
検索モジュール１０４は、前記購入キーワード集合および前記その他のキーワード集合に共通的に含まれたキーワードは互いに関連度の高いものと判断して関連点数を増加させてもよい。
【００３６】
また、検索モジュール１０４は、前記購入キーワード集合および前記その他のキーワード集合から前記購入キーワード集合と前記その他のキーワード集合に共通して含まれたキーワードを除いたキーワードの関連点数を減少させてもよい。ここで、検索モジュール１０４は、前記購入キーワード集合および前記その他のキーワード集合から前記購入キーワード集合と前記その他のキーワード集合に共通して含まれたキーワードを除いたキーワードの関連点数は低いものの、一定以上の検索量が発生する推薦キーワードとして判断して検索結果に反映してもよい。
【００３７】
また、検索モジュール１０４は、指標モジュール５０１、指標選択モジュール５０２、加重値補正モジュール５０３、およびシミュレーションモジュール５０４が前記キーワードの用途を評価する場合、前記キーワードの評価に基づいて用途に適したキーワードを提供してもよい。
【００３８】
前記キーワードの評価に基づいてキーワードを検索する実施形態は、以下の図５〜図１０に基づいて詳細に説明する。
【００３９】
最後に、検索モジュール１０４は、指標モジュール５０１、関連点数算定モジュール１１０２、順位点数算出モジュール１１０３が使用用途による順位点数を算出した場合、前記順位点数に基づいて検索語に対する関連キーワードを提供してもよい。
【００４０】
前記順位点数に基づいてキーワードを検索する実施形態は、以下の図１１〜図１５に基づいて詳細に説明する。
【００４１】
図２は、本発明の一実施形態において、拡張キーワードプールを用いる検索方法を示すフローチャートである。
【００４２】
ステップＳ２０１において、検索システム１００は、キーワードを検索するデータベースであるキーワードプールを生成する。
【００４３】
ここで、検索システムは、購入キーワードモジュール１０１とその他のキーワードモジュール１０２と統合検索キーワードモジュール１０３を用いて、購入キーワード集合とその他のキーワード集合と統合検索キーワード集合を生成し、生成キーワード集合に含まれたキーワードをキーワードプールとして用いてもよい。
【００４４】
ここで、購入キーワード集合とその他のキーワード集合と統合検索キーワード集合は互いに共通するキーワードを含んでもよい。
【００４５】
前記キーワードプールの構造について、図３を参照してより詳しく説明する。
【００４６】
ステップＳ２０２において、検索モジュール１０４は、ステップＳ２０１で生成されたキーワードプールの構造に基づいて特定の条件に対応するキーワードの新規キーワード点数または関連点数を補正する。
【００４７】
ステップＳ２０３において、検索モジュール１０４は検索語が入力されたかを確認する。
【００４８】
ステップＳ２０４において、検索モジュール１０４は、ステップＳ２０１で生成されたキーワードプールに格納されたキーワードの新規キーワード点数または関連点数に基づいて関連キーワードや拡張キーワードを検索して表示する。
【００４９】
このように、前記確認された拡張キーワードプールを用いる検索方法について、図３の一例を挙げてより詳しく説明する。
【００５０】
図３は、本発明の一実施形態に係る拡張キーワードプールの一例である。
【００５１】
本発明の一実施形態に係る拡張キーワードプールは、図３に示すように購入キーワード集合３１０、その他のキーワード集合３２０、および統合検索キーワード集合３３０が互いに連係して生成されてもよい。
【００５２】
検索モジュール１０４は、統合検索キーワード集合３３０に含まれたキーワードのうち、購入キーワード集合３１０とその他のキーワード集合３２０に含まれないキーワード３０１の新規キーワード点数を増加させてもよい。
【００５３】
また、検索モジュール１０４は、購入キーワード集合３１０とその他のキーワード集合３２０に含まれたキーワードのうち、統合検索キーワード集合３３０に含まれないキーワード３０２の新規キーワード点数を減少させてもよい。
【００５４】
ここで、購入キーワード集合３１０とその他のキーワード集合３２０に含まれたキーワードは、購入キーワード集合３１０に含まれたキーワードとその他のキーワード集合３２０に含まれたキーワードの和集合であってもよい。
【００５５】
検索モジュール１０４は、購入キーワード集合３１０およびその他のキーワード集合３２０に共通的に含まれた共通集合キーワード３０３の関連点数を増加させてもよい。
【００５６】
また、検索モジュール１０４は、購入キーワード集合３１０およびその他のキーワード集合３２０に含まれたキーワードから共通集合キーワード３０３を除いたキーワード３０４の関連点数を減少させてもよい。
【００５７】
図４は、本発明の一実施形態において、拡張キーワードプールの管理方法を示すフローチャートである。
【００５８】
ステップＳ４０１において、検索システム１００はキーワードを検索するデータベースであるキーワードプールを生成する。
【００５９】
ここで、検索システムは、購入キーワードモジュール１０１、その他のキーワードモジュール１０２、統合検索キーワードモジュール１０３を用いて購入キーワード集合とその他のキーワード集合と統合検索キーワード集合を生成し、生成キーワード集合に含まれたキーワードをキーワードプールとして用いてもよい。
【００６０】
ステップＳ４０２において、検索モジュール１０４は、ステップＳ４０１で生成されたキーワードプールの構造に基づいて特定の条件に対応するキーワードの新規キーワード点数または関連点数を補正する。
【００６１】
ステップＳ４０３において、検索モジュール１０４は、購入キーワードモジュール１０１、その他のキーワードモジュール１０２、および統合検索キーワードモジュール１０３が一定の期間経過したかを確認する。
【００６２】
ステップＳ４０４において、購入キーワードモジュール１０１、その他のキーワードモジュール１０２、および統合検索キーワードモジュール１０３は特定の条件を満足するキーワードをキーワードプールから削除する。
【００６３】
ここで、購入キーワードモジュール１０１は、前記購入キーワード集合に含まれたキーワードのうち、前記一定の期間の間に前記検索広告の購入履歴が増加しないキーワードと、販売禁止キーワードとして指定されたキーワードを除去してもよい。
【００６４】
また、その他のキーワードモジュール１０２は、管理者が選択したキーワードを前記その他のキーワード集合から除去してもよく、統合検索キーワードモジュール１０３は、前記統合検索キーワード集合に含まれたキーワードのうち一定の期間の間に一定量以下のクエリが発生したキーワードを、除去してもよい。
【００６５】
ステップＳ４０５において、購入キーワードモジュール１０１、その他のキーワードモジュール１０２、および統合検索キーワードモジュール１０３は特定の条件を満足するキーワードをキーワードプールに追加する。
【００６６】
ここで、購入キーワードモジュール１０１は、前記検索広告の購入履歴が前記一定の期間の間に一定量以上に増加したキーワードを、前記購入キーワード集合に追加してもよく、販売禁止キーワードの設定が解除されたキーワードの前記検索広告の購入履歴が一定量以上に増加すれば、該当のキーワードを共に追加してもよい。
【００６７】
また、その他のキーワードモジュール１０２は、管理者が少なくとも１つのソースから抽出して選択したキーワードを前記その他のキーワード集合に追加してもよく、統合検索キーワードモジュール１０３は、一定の期間の間に一定量以上のクエリが発生したキーワードと、前記購入キーワード集合および前記その他のキーワード集合に含まれたキーワードのうち前記統合検索キーワード集合に含まれないキーワードを追加してもよい。
【００６８】
拡張キーワードプールを用いる検索システムは、検索広告の購入履歴のあるキーワード集合以外にその他のキーワードとキーワード別の照会数が一定以上に発生するキーワードの集合をさらに含むようにしてキーワードプールを生成することによって、より広い範囲でキーワードを検索者に提供することができる。
【００６９】
また、キーワードが共通して含まれるキーワード集合の数または種類に応じてキーワードの関連点数や新規性点数を変化することによって、増加したキーワードのうち関連度または新規性の高いキーワードを検索者に提供することができる。
【００７０】
図５は、本発明の他の実施形態に係る、使用用途に基づいた検索システムの構成図である。
【００７１】
図５を参照すれば、使用用途に基づいた検索システム５００で、指標モジュール５０１がキーワードの属性および関連性を指標化して少なくとも１つの指標を生成すると、指標選択モジュール５０２が、前記キーワードが用いられる用途に対応して前記指標のうち少なくとも１つの指標を加重値指標として選択し、加重値補正モジュール５０３が前記加重値指標に加重値を適用して指標値を変更すると、シミュレーションモジュール５０４が前記キーワードの前記加重値指標および前記指標に基づいて前記キーワードの用途を評価し、検索モジュール１０４が前記キーワードの評価に基づいて用途に適するキーワードを提供してもよい。
【００７２】
指標モジュール５０１は、売上げ量が上位に属するキーワードの集合を拡大して形成されたキーワードプールに含まれたキーワードを指標化してもよい。
【００７３】
ここで、前記キーワードは、業種が分類された売上げ上位の一万対キーワードの集合に含まれたキーワードであってもよく、前記キーワードプールは、前記売上げ上位キーワードの集合に他のソースから抽出したキーワードをさらに含むようにして形成してもよい。
【００７４】
ここで、前記他のソースは、キーワード別の照会数が一定以上に発生するキーワードと、ニュース、ブログ、知識ｉＮ、ショッピング、サイトクローリング、ショッピングモールのクエリ情報、およびイシュー性のあるキーワードのうち少なくとも１つを含んでもよい。
【００７５】
また、前記キーワードプールに含まれたキーワードは、キーワードの業種および広告主の業種に対応して分類されることによって指標化するのに適合する。
【００７６】
指標選択モジュール５０２は、前記キーワードが用いられる用途に対応する重要ポイントを確認し、前記重要ポイントに基づいて前記キーワードが用いられる用途で必要な条件の方向性を設定し、前記方向性に基づいて前記指標のうち少なくとも１つの指標を選択してもよい。
【００７７】
シミュレーションモジュール５０４は、前記加重値指標および前記指標に基づいてキーワードの提供前にキーワードの用途を評価するための順位ロジック評価指標と、キーワードの提供後に使用するキーワードの効果を評価するためのクォリティー評価指標を生成してもよい。
【００７８】
シミュレーションモジュール５０４は、前記順位ロジック評価指標に含まれる指標を分類し、分類された指標の値に対応してキーワードの優先順位と比率を補正してもよい。ここで、前記順位ロジック評価指標は、広告の競争度を表す競争度指標、ユーザの訪問量を表すサービス指標、露出対比クリック率を表す転換指標、関連度を表す関連指標、および進入障壁の難易度を表す進入指標のうち少なくとも１つを含んでもよい。
【００７９】
前記競争度指標は、登録広告数を登録広告主数で割った値が低いほどよいと判断してもよく、前記進入指標はＰＰＣ値が低いほどよいと判断してもよい。また、前記サービス指標は、ＱＣをクリック数に分けた値が高いほどよいと判断してもよく、前記転換指標はＣＴＲ値が高いほどよいと判断してもよく、前記関連指標は、関連点数が高いほどよいと判断してもよい。
【００８０】
また、シミュレーションモジュール５０４は、推薦ツールを用いて実際に広告の登録をしたかを表すカバレッジ表と、ステップＳ６０６で提供されたキーワードの売上げが上昇したかを表す売上げ指標が含まれたクォリティー評価指標を用いて、提供されたキーワードを評価してもよい。ここで、カバレッジ表は、登録広告数を登録広告主数で割った値であってもよい。
【００８１】
また、シミュレーションモジュール５０４は、前記進入指標および前記競争度指標値が低く、前記サービス指標、前記転換指標、および前記関連指標の値が高ければ、散布度を高めるために必要なキーワードとして判断して優先順位を最上位に補正し、前記進入指標および前記競争度指標の値が高くありつつ、前記サービス指標、前記転換指標、および前記関連指標の値が低ければ、広報に必要なキーワードとして判断して優先順位を中間に補正してもよい。
【００８２】
また、シミュレーションモジュール５０４は、前記サービス指標、前記転換指標、および前記関連指標の値が高いキーワードのうち代表キーワードを選択してもよい。
【００８３】
図６は、本発明の他の実施形態において使用用途に基づいた検索方法を示すフローチャートである。
【００８４】
ステップＳ６０１において、指標モジュール５０１はキーワードの属性と他のキーワードとの関連性を指標として生成する。
【００８５】
ここで、指標モジュール５０１は、キーワード自体属性を指標化して独立指標を生成し、キーワードが他のキーワード間の関連性を指標化して関連指標を生成してもよい。
【００８６】
ステップＳ６０２において、指標選択モジュール５０２は、キーワードの使用する用途別に重要ポイントを基準にして、いかなる指標が使用用途に適合するかに対する方向性を設定する。
【００８７】
ここで、指標選択モジュール５０２は、前記キーワードが用いられる用途に対応する重要ポイントを確認し、前記重要ポイントに基づいて前記キーワードが用いられる用途で必要な条件の方向性を設定してもよい。
【００８８】
前記方向性を設定する過程について、図７を参照してより詳しく説明する。
【００８９】
ステップＳ６０３において、指標選択モジュール５０２は、キーワードの使用用途に対応してステップＳ６０２で設定された方向性に基づいてステップＳ６０１で生成された指標を少なくとも１つ選択する。
【００９０】
前記指標を選択する過程について、図８を参照してより詳しく説明する。
【００９１】
ステップＳ６０４において、加重値補正モジュール５０３は、ステップＳ６０３で選択された指標の値に指標値を適用して補正する。
【００９２】
ここで、加重値は、前記キーワードの使用用途における前記指標の重要性に応じて前記指標別に異なって設定してもよい。
【００９３】
ステップＳ６０５において、シミュレーションモジュール５０４は、ステップＳ６０４で補正された前記加重値指標と、ステップＳ６０１で生成されて加重値を適用して補正されない前記指標に基づいて前記キーワードの用途を評価する。
【００９４】
ここで、シミュレーションモジュール５０４は、順位ロジック評価指標に含まれる指標を分類し、分類された指標の値に対応してキーワードの優先順位および比率を補正してもよい。ここで、前記順位ロジック評価指標は、広告の競争度を表す競争度指標、ユーザの訪問量を表すサービス指標、露出対比クリック率を表す転換指標、関連度を表す関連指標、および進入障壁の難易度を表す進入指標のうち少なくとも１つを含んでもよい。
【００９５】
ここで、前記競争度指標は、登録広告数を登録広告主数で割った値が低いほどよいと判断してもよく、前記進入指標は、ＰＰＣ値が低いほどよいと判断してもよい。また、前記サービス指標は、ＱＣをクリック数で割った値が高いほどよいと判断してもよく、前記転換指標は、ＣＴＲ値が高いほどよいと判断してもよく、前記関連指標は、関連点数が高いほどよいと判断してもよい。
【００９６】
また、シミュレーションモジュール５０４は、前記サービス指標、前記転換指標、および前記関連指標の値が高いキーワードのうち代表キーワードを選択してもよい。
【００９７】
ここで、シミュレーションモジュール５０４は、前記進入指標および前記競争度指標の値が低く、前記サービス指標、前記転換指標、および前記関連指標の値が高ければ、散布度を高めるために必要なキーワードとして判断して優先順位を最上位に補正し、前記進入指標および前記競争度指標の値が高く、前記サービス指標、前記転換指標、および前記関連指標の値が低ければ、広報に必要なキーワードとして判断して優先順位を中間に補正してもよい。
【００９８】
ここで、前記キーワードの用途を評価する過程について、図９を参照してより詳しく説明する。
【００９９】
ステップＳ６０６において、検索モジュール１０４は、ステップＳ６０５で評価された前記キーワードの評価に基づいて用途に適するキーワードを提供する。
【０１００】
ステップＳ６０７において、シミュレーションモジュール５０４はステップＳ６０５で提供した前記キーワードについて評価する。
【０１０１】
ここで、シミュレーションモジュール５０４は、推薦ツールを用いて実際に広告の登録をしたかを表すカバレッジ表と、ステップＳ６０６で提供されたキーワードの売上げが上昇したかを表す売上げ指標が含まれたクォリティー評価指標を用いて評価してもよい。ここで、カバレッジ表は、登録広告数を登録広告主数に分けた値であってもよい。
【０１０２】
このように、前記確認された使用用途に基づいた検索方法について、図７、図８、および図９の一例を挙げてより詳しく説明する。
【０１０３】
図７は、本発明の他の実施形態によってキーワードの方向性を設定する過程の一例である。
【０１０４】
図７を参照すれば、使用用途がキーワードステーション用であるキーワード７１１、使用用途が推薦語サービス適用用であるキーワード７２１、および使用用途がＳＰＭ用であるキーワード７３１の方向性を設定する過程を確認してもよい。
【０１０５】
使用用途がキーワードステーション用であるキーワード７１１の重要ポイント７１２には、図７に示すように、推薦キーワードの競争度またはＰＰＣの分布において尖度を低くし、散布度を高くしなければならない点、実際に登録されるか掲載された後にクリックが発生する可能性を高くしなければならない点を含んでもよい。
【０１０６】
ここで、指標選択モジュール５０２は、重要ポイント７１２に基づいて「売上げの発生可能性があるか」、「登録または執行の進入障壁が低いか」、および「管理者の調整反映が順調であるか」という条件を含む方向性７１３を使用用途がキーワードステーション用のキーワード７１１に設定してもよい。
【０１０７】
使用用途が推薦語サービス適用用であるキーワード７２１の重要ポイント７２２には、図７に示すように、アビューズの発生による広告主の抗議を最小化するという点、サービスユーザの使用パターンを最大限に反映するという点を含んでもよい。
【０１０８】
ここで、指標選択モジュール５０２は、重要ポイント７２２に基づいて「アビューズデータが除外されたか」、「ＱＱ関連度が順調に反映されたか」、および「フィルタリングが順調に行われているか」という条件を含む方向性７２３を、使用用途が推薦語サービス適用用であるキーワード７２１に設定してもよい。
【０１０９】
使用用途がＳＰＭ用であるキーワード７３１の重要ポイント７３２には、図４に示すように、関連度および拡張性を最大化する点、拡張露出されて売上げが発生したキーワードを関連点数に反映する点を含んでもよい。
【０１１０】
ここで、指標選択モジュール５０２は、重要ポイント７３２に基づいて「露出時クリックの可能性が多いか」、「ＱＱ関連度が順調に反映されたか」、および「売上げを最大化できる露出であるか」という条件を含む方向性７３３を使用用途がＳＰＭ用であるキーワード７３１に設定してもよい。
【０１１１】
図８は、本発明の他の実施形態によって使用する用途別に指標を選択する過程の一例である。
【０１１２】
指標選択モジュール５０２は、図４に示すように、ステップＳ２０２で設定された使用用途８２１、８２２、８２３に対する方向性を用いて、ステップＳ２０１で生成された指標４１０から加重値を高める指標８３１、８３２、８３３を選択する。
【０１１３】
使用用途がキーワードステーション８２１である場合、ステップＳ６０２で設定された方向性に基づいて売上げの発生可能性があるか、登録または執行の進入障壁が低いか、および管理者の調整反映が順調であるかである。したがって、指標選択モジュール５０２は、登録または執行の進入障壁が低いかに対応して競争度指標を選択し、売上げの発生可能性があるかに対応して購入関連指標および売上げ指標を選択し、管理者の調整反映が順調であるかに対応して素材文脈関連指標を選択してもよい。
【０１１４】
使用用途が推薦語サービス適用８２２である場合に、ステップＳ６０２で設定された方向性に基づいてアビューズデータが除外されたか、ＱＱ関連度が順調に反映されたか、およびフィルタリングが順調であるかである。したがって、指標選択モジュール５０２は、基礎としてアビューズデータが除外されたか、およびフィルタリングが順調であるかに対応してフルード比率の指標を選択し、ＱＱ関連度が順調に反映されたかに対応してクエリ関連指標および照会数指標を選択してもよい。
【０１１５】
使用用途がＳＰＭ８２３である場合に、ステップＳ６０２で設定された方向性は、露出時クリックの可能性が多いか、ＱＱ関連度が順調に反映されたか、および売上げを最大化できる露出であるかである。したがって、指標選択モジュール５０２は、露出時にクリックの可能性が多いか、および売上げを最大化できる露出であるかに対応して露出関連指標を選択し、ＱＱ関連度が順調に反映されたのに対応してクエリ関連指標を選択してもよい。
【０１１６】
図９は、本発明の他の実施形態によってキーワードの用途を評価する過程の一例である。
【０１１７】
シミュレーションモジュール５０４は、前記進入指標および前記競争度指標を指標グループ１にグループ化し、前記サービス指標、前記転換指標、および前記関連指標を指標グループ２にグループ化し、前記指標グループ１に含まれた指標の値および前記指標グループ２に含まれた指標の値に基づいて前記キーワードを、図５に示すように、Ａ１グループ９０１、Ａ２グループ、Ａ３グループ９０２、Ｂ１グループ、Ｂ２グループ、Ｂ３グループ、Ｃ１グループ９０３、Ｃ２グループ、Ｃ３グループ９０４に分類してもよい。
【０１１８】
前記競争度指標は、登録広告数を登録広告主数で割った値が低いほどよいと判断してもよく、前記進入指標はＰＰＣ値が低いほどよいと判断してもよい。また、前記転換指標はＣＴＲ値が高いほどよいと判断してもよく、前記関連指標は関連点数が高いほどよいと判断してもよく、前記サービス指標はＱＣをクリック数で割った値が高いほどよいと判断してもよい。
【０１１９】
ここで、シミュレーションモジュール５０４は、前記指標グループ１に含まれた指標の値が低く、前記指標グループ２に含まれた指標の値が高いＡ３グループ９０２に含まれるキーワードを、散布度を高めるために必要なキーワードとして判断し、優先順位を１順位に補正し、前記指標グループ１および指標グループ２に含まれた指標の値が全て高いＡ１グループ９０１に含まれるキーワードは重要度が高いものの、既に登録されたキーワードとして判断して優先順位を２順位に補正してもよい。
【０１２０】
また、シミュレーションモジュール５０４は、前記指標グループ１に含まれた指標の値が高く、前記指標グループ２に含まれた指標の値が低いＣ１グループ９０３に含まれるキーワードを広報に必要なキーワードとして判断して優先順位を３順位に補正し、前記指標グループ１および指標グループ２に含まれた指標の値が全て低いＣ３グループ９０４に含まれるキーワードは重要度の低いキーワードとして判断して優先順位を４順位に補正してもよい。
【０１２１】
ここで、シミュレーションモジュール５０４は、前記優先順位に対応してキーワードを提供する比率を調整してもよい。
【０１２２】
図１０は、本発明の他の実施形態に係る指標モジュール５０１が指標化するキーワードの業種を分類する方法を示すフローチャートである。
【０１２３】
ステップＳ１００１において、指標モジュール５０１は売上げ上位の１万個のキーワードを抽出する。
【０１２４】
ステップＳ１００２において、指標モジュール５０１はステップＳ１００１で抽出したキーワードを分類する。
【０１２５】
ここで、指標モジュール５０１は、手動にステップＳ１００１で抽出したキーワードを項目または業種別に分類してもよい。
【０１２６】
ステップＳ１００３において、指標モジュール５０１は、ステップＳ１００１で分類されたキーワードの集合を拡大してキーワードプールを生成する。
【０１２７】
ここで、指標モジュール５０１は、前記売上げ上位キーワードの集合に他のソースから抽出したキーワードをさらに含むようにしてキーワードプールを形成してもよい。ここで、前記他のソースは、キーワード別の照会数が一定以上に発生するキーワードと、ニュース、ブログ、知識ｉＮ、ショッピング、サイトクローリング、ショッピングモールのクエリ情報、およびイシュー性のあるキーワードのうち少なくとも１つを含んでもよい。
【０１２８】
ステップＳ１００４において、指標モジュール５０１はステップＳ１００３で生成されたキーワードプールを調整する。
【０１２９】
ここで、指標モジュール５０１は、特定の条件に対応するキーワードを前記キーワードプールに追加したり、前記キーワードプールに含まれたキーワードのうち特定の条件を満足できないキーワードを除去したりしてもよい。
【０１３０】
ステップＳ１００４において、指標モジュール５０１は、ステップＳ１００４で調整されたキーワードプールに含まれたキーワードを業種別に分類する。
【０１３１】
ここで、指標モジュール５０１は、各キーワードに業種指標を生成してもよく、類似業種のキーワードをグループ化してもよい。
【０１３２】
ステップＳ１００５において、指標モジュール５０１は、ステップＳ１００４で調整されたキーワードプールに含まれたキーワードを広告主業種別に分類する。
【０１３３】
ここで、指標モジュール５０１は、各キーワードに広告主業種指標を生成してもよく、類似広告主の業種または同一広告主に対応するキーワードをグループ化してもよい。
【０１３４】
使用用途に基づいた検索システムは、キーワードの使用用途に適した少なくとも１つの指標に加重値を付与し、加重値の付与された指標が含まれた指標を基準にしてキーワードを選択して提供することにより、使用用途に適したキーワードを提供することができ、各指標値に応じて優先順位を変更することによって一部の指標値が低くて選択されていない重要キーワードを発掘して提供することもできる。
【０１３５】
図１１は、本発明の他の実施形態に係るキーワードの関連順位を用いた検索システムの構成図である。
【０１３６】
図１を参照すると、キーワードの関連順位を用いた検索システム１１００で、指標モジュール１０１がキーワードの自体属性を指標化して独立指標を生成し、キーワードが他のキーワード間の関連性を指標化して関連指標を生成すると、関連点数算定モジュール１１０２が前記関連指標に基づいて前記キーワードと他のキーワードとの間の関連度を関連点数に数値化し、順位点数算出モジュール１１０３が前記関連点数および前記独立指標に基づいて使用用途による順位点数を算出し、検索モジュール１０４が前記順位点数に基づいて検索語に対する関連キーワードを提供する。
【０１３７】
前記関連指標は、購入関連指標、広告内関連指標、サービスデータ関連指標、露出関連指標、素材文脈関連指標、知識ショッピング関連指標、および各関連指標の重複指標のうち少なくとも１つを含んでもよい。
【０１３８】
前記独立指標は、共通指標、クリック当たりの課金を表すＣＰＣ指標、および露出当たりの課金を表すＣＰＭ指標のうち少なくとも１つを含んでもよい。
【０１３９】
関連点数算定モジュール１１０２は、下記の数１のように関連指標に個別加重値を適用して単一キーワードの関連点数を算定してもよい。
【数１】
0005576376.tif 000002
【０１４０】
前記ｒｅｌ関数は関連点数を算出する関数であり、ｋ１はキーワード１、ｋ２はキーワード２、ｗ１は加重値１、ｌ１は関連指標１であり、ｎは１からｊの間の値のうちの１つであってもよい。
【０１４１】
関連点数算定モジュール１１０２は、前記数１によって算定された前記単一キーワードの関連点数に基づいて複数キーワード関連点数を算定してもよい。ここで、前記複数キーワード関連点数は、前記キーワードと他のキーワードの集合間の関連度を数値化した点数であってもよい。
【０１４２】
関連点数算定モジュール１１０２は、下記の数２のように前記キーワードと前記他のキーワードの集合間の単一キーワードの関連点数の総合を前記他のキーワードの集合に含まれたキーワードの量に分けた値を複数キーワード関連点数に算定してもよい。
【数２】
0005576376.tif 000003
【０１４３】
また、関連点数算定モジュール１１０２は、一般的に用いられるキーワードは前記関連点数を低く算定してフィルタリングされるようにしてもよい。
【０１４４】
ここで、関連点数算定モジュール１１０２は、一定量以上のキーワードと関連するキーワード、または前記キーワードと関連するキーワードのうち前記キーワードと関連しない他のキーワードと関連するキーワードを一般的に用いられるキーワードとして判断し、前記関連点数を低く算定してもよい。
【０１４５】
順位点数算出モジュール１１０３は、前記独立指標から検索語の使用用途に適した指標の組合せを選択し、選択した独立指標および前記関連点数を用いて前記順位点数を算出してもよい。ここで、順位点数算出モジュール１１０３は、下記の数３のように、前記独立指標に個別加重値を適用した値の和に前記関連点数に使用用途に対応する加重値を適用した値を加えてキーワード別の前記順位点数を算出してもよい。
【数３】
0005576376.tif 000004
【０１４６】
前記ｒａｎｋ関数は関連点数を算出する関数であり、加重値ｚは使用用途別加重値であってもよい。
【０１４７】
図１２は本発明の他の実施形態において、キーワードの関連順位を用いた検索方法を示すフローチャートである。
【０１４８】
ステップＳ１２０１において、指標モジュール５０１はキーワードの属性と他のキーワードとの関連性として指標を生成する。
【０１４９】
ここで、指標モジュール５０１はキーワードの自体属性を指標化して独立指標を生成し、キーワードが他のキーワード間の関連性を指標化して関連指標を生成してもよい。
【０１５０】
前記関連指標については図１３を参照してより詳しく説明し、前記独立指標については図１５を参照してより詳しく説明する。
【０１５１】
ステップＳ１２０２において、関連点数算定モジュール１１０２は、ステップＳ１２０１で生成された前記関連指標に基づいて前記キーワードと他のキーワード間の関連度を表す関連点数を算定する。
【０１５２】
ここで、関連点数算定モジュール１１０２は、前記関連指標に個別加重値を適用して単一キーワード関連点数を算定してもよく、算定された前記単一キーワードの関連点数に基づいて複数キーワード関連点数を算定してもよい。ここで、関連点数算定モジュール１１０２は、前記キーワードと前記他のキーワードの集合との間の単一キーワードの関連点数の総和を前記他のキーワードの集合に含まれたキーワードの数により割った値を複数キーワード関連点数として算定してもよい。
【０１５３】
前記複数キーワード関連点数が算定されるキーワードの構造について、図１４を参照してより詳しく説明する。
【０１５４】
ここで、関連点数算定モジュール１１０２は、一般的に用いられるキーワードは、前記関連点数を低く算定してフィルタリングしてもよい。ここで、関連点数算定モジュール１１０２は、一定量以上のキーワードと関連するキーワード、または前記キーワードと関連するキーワードのうち前記キーワードと関連しない他のキーワードと関連するキーワードを一般的に用いられるキーワードとして判断し、前記関連点数を低く算定してもよい。
【０１５５】
ステップＳ１２０３において、順位点数算出モジュール１１０３がステップＳ１２０２で算定された前記関連点数と、ステップＳ１２０１で生成された前記独立指標に基づいて使用用途による順位点数を算出する。
【０１５６】
ここで、順位点数算出モジュール１１０３は、前記独立指標から検索語の使用用途に適する指標の組合せを選択し、選択した独立指標および前記関連点数を用いて前記順位点数を算出してもよい。ここで、順位点数算出モジュール１１０３は、前記独立指標に個別加重値を適用した値の和に前記関連点数に使用用途に対応する加重値を適用した値を加えて、キーワード別に前記順位点数を算出してもよい。
【０１５７】
ステップＳ１２０４において、検索モジュール１０４はユーザから検索しようとする検索語が入力される。
【０１５８】
ステップＳ１２０５において、検索モジュール１０４はステップＳ１２０３で算出された前記順位点数に基づいて検索語に対する関連キーワードを検索して提供する。
【０１５９】
このように、前記確認されたキーワードの関連順位を用いた検索方法については図１３に一例を挙げてより詳しく説明する。
【０１６０】
図１３は、本発明の他の実施形態に係る関連指標の一例である。
【０１６１】
本発明の一実施形態に係る関連指標は、図１３に示すように購入関連指標１３１０、広告内関連指標１３２０、サービスデータ関連指標１３３０、および知識ショッピング関連指標１３４０のうち少なくとも１つを含んでもよい。
【０１６２】
購入関連指標１３１０は、特定の物品を購入するための購入キーワード関連ネットワークを指標化して生成される指標であって、図１３に示すように、特定の名前の購入関連指標は特定の名前の購入キーワード関連ネットワークを表してもよい。
【０１６３】
広告内関連指標１３２０は、広告に関連する情報を指標化して生成される指標であって、図１３に示すように、広告素材から抽出したキーワードと広告登録キーワードと間の関連度を表す広告素材関連度と、同一のグループに含まれたキーワード間の関連度を表すグループ関連度のうち少なくとも１つを含んでもよい。
【０１６４】
サービスデータ関連指標１３３０は、検索システム１１００が含まれたサイトで提供するサービスデータに関連する情報を指標化して生成される指標であって、図１３に示すように、特定のキーワードを検索した後ユーザが再び検索した他のキーワードの関連度を表す統合検索クエリ関連度と、購入キーワードを含む統合検索クエリ発生量を表す統合検索ＱＣと、カフェやブログ、ニュースのような文書内でキーワード間の関連度を表す文書内文脈関連度、およびサービスデータのうち購入キーワードを含む程度を表す購入キーワード重複指標のうち少なくとも１つを含んでもよい。
【０１６５】
知識ショッピング関連指標１３４０は、検索システム１１００が含まれたサイトで提供する知識ショッピングサービスに対する関連する情報を指標化して生成される指標であって、図１３に示すように、購入キーワードを含む知識ショッピングクエリ発生量を表す知識ショッピング内ＱＣ、知識ショッピングを用いるユーザが特定のキーワードを検索した後再び検索した他のキーワードの関連度を表す知識ショッピングクエリ関連度、および知識ショッピングデータのうち購入キーワードを含む程度を表す購入キーワード重複指標のうち少なくとも１つを含んでもよい。
【０１６６】
図１４は、本発明の他の実施形態に係る複数キーワード関連点数が算定されるキーワードの一例である。
【０１６７】
関連点数算定モジュール１１０２は、図１４に示すように、キーワード（１）１４１１とキーワード（２）１４１２を含むキーワードの集合１４１０と、キーワード（３）１４２０の間の関連度を数値化して複数キーワード関連点数を算定してもよい。
【０１６８】
ここで、関連点数算定モジュール１１０２は、ｋ１はキーワード１、ｋ２はキーワード２、ｋ３はキーワード３とすると、キーワード１およびキーワード２を含むキーワードが集合ｋ１、ｋ２、ｋ３の関連点数を前記数２に基づいた下記の数４を用いて算定してもよい。
【数４】
0005576376.tif 000005
【０１６９】
図１５は、本発明の他の実施形態に係る独立指標の一例である。
【０１７０】
本発明の一実施形態に係る独立指標は、図５に示すように、共通指標１５１０、ＣＰＣ指標１５２０、およびＣＰＭ指標１５３０のうち少なくとも１つを含んでもよい。
【０１７１】
共通指標１３１０は、独立指標が生成された該当のキーワードの属性のうち大部分のキーワードにおいて共通に用いられる属性を指標化して生成される指標であって、図１５に示すように、関連点数算定モジュール１１０２が算定した他のキーワードとの関連点数、キーワード別期間認識売上げである売上げ指標、およびキーワード別照会数であるＱＣのうち少なくとも１つを含んでもよい。
【０１７２】
ここで、前記売上げ指標には、ＣＰＣ売上げ指標、ＣＰＭ売上げ指標、ＰＬ売上げ指標、ＢＺ売上げ指標、およびＣＡ売上げ指標のうち少なくとも１つを含んでもよい。
【０１７３】
ＣＰＣ指標１５２０は、クリック当たり課金を表すＣＰＣに関連する属性を指標化して生成される指標であり、図１５に示すように、代表キーワードおよび前記該当のキーワードが共に含まれたグループの数、キーワード別売上げ量を表すＣＰＣ売上げ、各キーワードに対応して送信される広告量を表す広告送信数、各キーワードに対応して露出される広告量である広告露出数、キーワード別クリック量を表すクリック数、キーワード別ＰＰＣ、キーワード別ＣＴＲ、前記該当のキーワードに登録された広告の数字である登録広告数、露出可能な状態の広告数字である露出広告数、露出された後にクリックが発生した広告数字であるクリック広告数、前記該当のキーワードを登録した広告主の数字である登録広告主、露出可能な状態の広告を登録した広告主の数字である露出広告主数、キーワード別入札量である入札回数、およびキーワード別無効クリックが発生する比率である無効クリック比率のうち少なくとも１つを含んでもよい。
【０１７４】
ＣＰＭ指標１５３０は、指標および露出当たり課金を表すＣＰＭに関連する属性を指標化して生成される指標であって、図１５に示すように、キーワード別価格指標、キーワードが入札キーワードである場合に応札回数およびキーワードが入札キーワードである場合に基準価対比価格上昇率のうち少なくとも１つを含んでもよい。
【０１７５】
キーワードの関連順位を用いた検索システムは、キーワード間の関連度を指標化するキーワード関連指標を用いてキーワード間の関連度を数値化することによって、キーワード間の関連程度を明確に比較することができ、キーワード間の関連度を数値化した関連点数を用いて複数のキーワードが含まれたキーワード集団と特定のキーワード間の関連度を算出することによって、各キーワード間のみならずキーワード集団との関連度を測定することができる。
【０１７６】
また、使用用途別にキーワード指標の組合せを定義し、独立指標を反映して順位点数を算出することによって、使用用途に適したキーワードを検索者に提供することができる。
【０１７７】
本発明に係る実施形態は、多様なコンピュータ手段を介して様々な処理を実行することができるプログラム命令の形態に具現され、コンピュータ読取可能な記録媒体に記録されてもよい。コンピュータ読取可能な媒体は、プログラム命令、データファイル、データ構造などの単独または組み合わせたものを含んでもよい。媒体に記録されるプログラム命令は、本発明の目的のために特別に設計されて構成されたものでもよく、コンピュータソフトウェア分野の技術を有する当業者にとって公知のものであり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれる。プログラム命令の例としては、コンパイラによって生成されるような機械語コード（ｍａｃｈｉｎｅ  ｃｏｄｅ）だけでなく、インタプリタなどを用いてコンピュータによって実行され得る高級言語コード（ｈｉｇｈｅｒ  ｌｅｖｅｌ  ｃｏｄｅ）を含む。上述したハードウェア装置は、本発明の動作を行うために１つ以上のソフトウェア階層で作動するように構成されてもよい。
【０１７８】
上述したように本発明を限定された実施形態と図面によって説明したが、本発明は、上記の実施形態に限定されることなく、本発明が属する分野における通常の知識を有する者であれば、このような実施形態から様々な修正及び変形が可能である。
【０１７９】
したがって、本発明の範囲は、開示された実施形態に限定されて定められるものではなく、特許請求の範囲だけではなく特許請求の範囲と均等なものなどによって定められるものである。
【図１】
0005576376.tif 000006
【図２】
0005576376.tif 000007
【図３】
0005576376.tif 000008
【図４】
0005576376.tif 000009
【図５】
0005576376.tif 000010
【図６】
0005576376.tif 000011
【図７】
0005576376.tif 000012
【図８】
0005576376.tif 000013
【図９】
0005576376.tif 000014
【図１０】
0005576376.tif 000015
【図１１】
0005576376.tif 000016
【図１２】
0005576376.tif 000017
【図１３】
0005576376.tif 000018
【図１４】
0005576376.tif 000019
【図１５】
0005576376.tif 000020